(57)【要約】【課題】  簡単な構成で、かつ、簡単な操作でガス漏れ検出及び漏れ箇所の特定ができ、また、人体への危険がないガス漏れ可視化装置を提供する。【解決手段】  波長が１０．６μｍの遠赤外光を含む遠赤外光を放射する遠赤外光源２、遠赤外光源２から放射される遠赤外光１０を空間を介して受け、波長が１０．６μｍの遠赤外光のみを透過する遠赤外フィルタ３、遠赤外フィルタ３と対をなし、遠赤外フィルタ３を透過した遠赤外光を検出する遠赤外光電素子４、遠赤外光電素子４の出力を画面表示信号に変換し画面表示する処理・表示装置５を有する測定プローブ１を備え、測定プローブ１は、空間に到来するＳＦ６ガス２０を遠赤外フィルタ３と遠赤外光電素子４とで検出し、遠赤外光電素子４の検出出力を処理・表示装置５に表示する構成とする。【選択図】        図１
2006317366.tif 000002
【特許請求の範囲】
【請求項１】
波長が１０．６μｍの遠赤外光または１０．６μｍの遠赤外光を含む遠赤外光を放射する遠赤外光源、
上記遠赤外光源から放射される遠赤外光を空間を介して受け、上記波長が１０．６μｍの遠赤外光のみを透過する遠赤外フィルタ、
上記遠赤外フィルタと対をなし、上記遠赤外フィルタを透過した遠赤外光を検出する遠赤外光電素子、
上記遠赤外光電素子の出力を画面表示信号に変換し画面表示する処理・表示装置を有する測定プローブを備え、
上記遠赤外光電素子の出力変化から上記空間内に到来するＳＦ６の存在を検出することを特徴とするガス漏れ可視化装置。
【請求項２】
上記遠赤外光源から放射された１０．６μｍの遠赤外光を含む遠赤外光を空間を介して受け、上記遠赤外光源が放射する上記波長が１０．６μｍの遠赤外光以外の遠赤外光を透過する第２遠赤外フィルタ、及び上記第２遠赤外フィルタと対をなし、上記第２遠赤外フィルタを透過した遠赤外光を検出する第２遠赤外光電素子が設けられ、上記第２遠赤外光電素子の出力と上記遠赤外光電素子の出力とを比較して、上記遠赤外光電素子の出力におけるＳＦ６ガスのガス漏れ以外の要因による出力を補正する補正装置を備えたことを特徴とする請求項１記載のガス漏れ可視化装置。
【請求項３】
上記遠赤外フィルタと上記遠赤外光電素子との対が、マトリクス状に配列され、上記処理・表示装置には、上記遠赤外光電素子それぞれの出力を画面表示する絵素がマトリクス状に配列されていることを特徴とする請求項１記載のガス漏れ可視化装置。
【発明の詳細な説明】
【技術分野】
【０００１】
この発明は、ＳＦ６ガス絶縁機器からのガス漏れを人の目で確認できるようにしたガス漏れ可視化装置に関するものである。
【背景技術】
【０００２】
従来のＳＦ６ガス漏れを検出する第１の代表的な方法として、蓄積法と呼ばれるものがある。この蓄積法は、ガス漏れ検出対象のガス絶縁機器をビニールテープで巻き、微量のＳＦ６ガスの漏れをビニール内部に濃縮させた後、濃縮されたＳＦ６ガスをイオン化して検出する方法である。
【０００３】
また、従来のＳＦ６ガス漏れを検出する第２の方法として、ガス絶縁機器周辺の大気を光音響セル内部に繰り返しサンプリングし、光音響セル内部に波長が１０．６μｍの光（ＳＦ６ガスの分光吸収波長は１０．６μｍ）をパルス的に発信し、対象ガスのＳＦ６ガスが光を吸収する時に発する音響をマイクロホンで検出することにより微量のＳＦ６ガスの漏れを検出する方法が研究レベルで開示されている（例えば、非特許文献１参照）。
【０００４】
さらに、従来のＳＦ６ガス漏れを検出する第３の方法として、上記ＳＦ６ガスの分光吸収を利用するもので、高出力のレーザ光を三次元空間に放射し、周辺構造物から乱反射するレーザ光の分光吸収の有無を確認することによりＳＦ６ガスの漏れを検出する方法が開示されている（例えば、非特許文献２参照）。
【０００５】
【非特許文献１】“レーザー分光法による絶縁劣化の予知診断”、［ｏｎｌｉｎｅ］、財団法人レーザー技術総合研究所、［平成１７年４月２０日検索］、インターネット＜ＵＲＬ：http:www.ilt.or.jp/menu/6-3.html＞
【非特許文献２】Ｔｏｍ  ＭｃＲａｅ、“ＧａｓＶｕｅ  ａｎｄ  ｔｈｅ  Ｍａｇｎｅｓｉｕｍ  Ｉｎｄｕｓｔｒｙ：Ａｄｖａｎｃｅｄ  ＳＦ６  Ｌｅａｋ  Ｄｅｔｅｃｔｉｏｎ”、［ｏｎｌｉｎｅ］、Ｎｏｖｅｍｂｅｒ  ２−３，２０００、米国ＥＰＲＩ  ｓｏｌｕｔｉｏｎ，Ｉｎｃ．、［平成１７年４月２０日検索］、インターネット＜ＵＲＬ：http：www.epa.gov/highgwp/electricpower-sf6/pdf/mcraeppt.pdf＞
【発明の開示】
【発明が解決しようとする課題】
【０００６】
上記従来の第１の代表的な方法は、ビニールテープを巻いてＳＦ６ガスが濃縮されるまでに長時間を要し、検査に長い時間を必要とし、また、ガス絶縁機器のどの部位から漏れているかの特定にまでは至らず、さらなる複雑な作業工程をともなう詳細診断をする必要がある場合があり、ガス漏れ検出から修理までの作業を迅速化する必要があるという課題が残されていた。
【０００７】
上記非特許文献１の方法では、分光吸収を利用するために、三次元的に大規模な構造物であるガス絶縁機器の周辺の大気を光音響セル内部へ繰り返しサンプリングする繁雑さが大きな障害となっているという課題がある。
【０００８】
上記非特許文献２の方法では、高出力のレーザ光源と、周辺構造物から乱反射するレーザ光の分光吸収の有無を確認するための大掛かりな装置が必要であり、また、レーザ光の出力を上げることによって人体への危険があるという課題がある。
【０００９】
この発明は、上記のような課題を解決するものであり、簡単な構成で、かつ、簡単な操作でガス漏れ検出及び漏れ箇所の特定ができ、また、人体への危険がないガス漏れ可視化装置を提供することを目的とする。
【課題を解決するための手段】
【００１０】
この発明に係るガス漏れ可視化装置は、波長が１０．６μｍの遠赤外光または１０．６μｍの遠赤外光を含む遠赤外光を放射する遠赤外光源、
上記遠赤外光源から放射される遠赤外光を空間を介して受け、上記波長が１０．６μｍの遠赤外光のみを透過する遠赤外フィルタ、
上記遠赤外フィルタと対をなし、上記遠赤外フィルタを透過した遠赤外光を検出する遠赤外光電素子、
上記遠赤外光電素子の出力を画面表示信号に変換し画面表示する処理・表示装置を有する測定プローブを備え、
上記遠赤外光電素子の出力変化から上記空間内に到来するＳＦ６の存在を検出するものである。
【発明の効果】
【００１１】
この発明に係るガス漏れ可視化装置によれば、簡単な構成で、かつ、簡単な操作でガス漏れ検出部位を特定することができ、修理作業までの迅速化を図ることができ、かつ、人体への危険がないガス漏れ可視化装置とすることができる。
【００１２】
また、簡単な構成であるので、可搬式とすることができる。
【発明を実施するための最良の形態】
【００１３】
実施の形態１．
図１は、この発明に係るガス漏れ可視化装置の実施の形態１を示す斜視図である。図１に示したように、実施の形態１におけるガス漏れ可視化装置は、測定プローブ１を備えている。
【００１４】
測定プローブ１は、ＳＦ６ガス２０の分光吸収波長である１０．６μｍの遠赤外光を含む遠赤外光１０を放射する遠赤外光源２、遠赤外光源２から放射された遠赤外光を空間を介して受ける遠赤外フィルタ３及び遠赤外フィルタ３を通過した遠赤外光を検出する遠赤外光電素子４、遠赤外光電素子４の出力を画面表示信号に変換して出力の強度情報を色表示、数値表示、あるいは棒グラフによるレベル表示等によって表示する処理・表示装置５を備えている。
【００１５】
遠赤外光源２から空間に放射された遠赤外光は、遠赤外フィルタ３によって１０．６μｍの遠赤外光のみが選択され、遠赤外光電素子４に入射する。このような構成において、測定プローブ１をガス絶縁機器のガス漏れを検出したい部位に接近させると、ガス漏れがある場合には、遠赤外光源２と遠赤外フィルタ３及び遠赤外光電素子４の対との間の空間にＳＦ６ガスが到来し、１０．６μｍの遠赤外光がＳＦ６ガスに吸収され、遠赤外光電素子４の出力が減少する。
【００１６】
この実施の形態１によれば、簡単な構成で、かつ、簡単な操作でガス漏れ検出部位を特定することができ、ガス漏れ検出から修理までの作業の迅速化を図ることができ、かつ、人体への危険もないガス漏れ可視化装置を提供することができる。
【００１７】
また、簡単な構成であるので、可搬式とすることができる。
【００１８】
実施の形態２．
上記実施の形態１において、ＳＦ６ガスの漏れは遠赤外光電素子４の出力減少によって可視化されるが、遠赤外光源２の劣化や汚損、空間への異物侵入などによっても遠赤外光電素子４の出力減少が生じる。
【００１９】
図２は、この発明に係るガス漏れ可視化装置の実施の形態２を示す斜視図である。図２に示したように、この実施の形態２では、上記実施の形態１の構成に加えて、遠赤外光源２から空間に放射された遠赤外光を受ける第２の遠赤外フィルタ７、第２の遠赤外フィルタ７を通過した遠赤外光を検出する第２の遠赤外光電素子６及び補正装置８を備える。第２の遠赤外フィルタ７は、ＳＦ６ガスが吸収しない１０．６μｍの遠赤外光以外の遠赤外光を透過する。補正装置８は、遠赤外光電素子４の出力を補正する。すなわち、例えば、空間に異物が到来し、遠赤外光電素子４の出力及び第２の遠赤外光電素子６の出力が同じように減少した場合は、遠赤外光電素子４の出力に対して補正装置８により補正値が加えられて処理・表示装置５にＳＦ６ガスの漏れなしの表示がなされる。また、第２の遠赤外光電素子６の出力は減少せず、遠赤外光電素子４の出力のみが減少した場合は、遠赤外光電素子４の出力に対して補正装置８により補正値が加えられずに処理・表示装置５にＳＦ６ガスの漏れが発生していることが表示される。
【００２０】
以上のように、この実施の形態２によれば、遠赤外光源２の劣化や汚損、空間への異物侵入などのガス漏れ以外の要因による誤判断を抑制し、ガス漏れのみを可視化することができる。
【００２１】
実施の形態３．
図３及び図４は、この発明に係るガス漏れ可視化装置の実施の形態３を示す平面図である。
【００２２】
上記実施の形態１及び２では遠赤外光電素子４が１個の例を示したが、この実施の形態３では、図３及び図４に示したように、遠赤外フィルタと遠赤外光電素子とのペアをｍ行×ｎ列のマトリクス状に配列し、遠赤外光電素子の出力により処理・表示装置により表示される光電素子絵素９は（ｍ，ｎ）で特定するものとし、同図では５行×５列のマトリクスを例示している。
【００２３】
図４は、ガス漏れが検出され、表示された状態を示している。同図で、黒塗り部がＳＦ６ガスの検出濃度が高く、斜線部は黒塗り部よりＳＦ６ガスの検出濃度が低く、白抜き部はＳＦ６ガスが検出されていない部分を示している。同図では、黒塗り部（５，２）から漏れたＳＦ６ガスが上方の斜線部の方へ広がっていく様相を示している。
【００２４】
以上のように、この実施の形態３によれば、ガス漏れ部のピンポイント標定ができるとともに、ガス漏れの様相を確認することができる。
【００２５】
なお、上記実施の形態１〜３において、遠赤外光源を１０．６μｍの遠赤外光のみを放射する光源としてもよいが、遠赤外フィルタは外光等の影響を考慮すれば必須のものである。
【産業上の利用可能性】
【００２６】
本発明に係るガス漏れ可視化装置は、ＳＦ６ガス絶縁機器からのガス漏れがどの部位で発生しているかを検出し、人の目で確認できるようにすることに有効に利用できる。
【図面の簡単な説明】
【００２７】
【図１】この発明に係るガス漏れ可視化装置の実施の形態１を示す斜視図である。
【図２】この発明に係るガス漏れ可視化装置の実施の形態２を示す斜視図である。
【図３】この発明に係るガス漏れ可視化装置の実施の形態３を示す平面図である。
【図４】この発明に係るガス漏れ可視化装置の実施の形態３を示す平面図である。
【符号の説明】
【００２８】
１  測定プローブ、２  遠赤外光源、３  遠赤外フィルタ、４  遠赤外光電素子、
５  処理・表示装置、６  第２遠赤外光電素子、７  第２遠赤外フィルタ、
８  補正装置、９  光電素子絵素、１０  遠赤外光、２０  漏れＳＦ６。
【図１】
2006317366.tif 000003
【図２】
2006317366.tif 000004
【図３】
2006317366.tif 000005
【図４】
2006317366.tif 000006